(57)【特許請求の範囲】
【請求項１】
ハウジングと、ハウジング内に収容した発光体と、発光体により照射されるディスプレーを有し、ハウジング開口に設けるレンズ部とよりなる表示灯であって、レンズ部のレンズダイに弾性片を形成し、弾性片の外面の先端に支持体用突起を突設し、基端側にハウジング用突起を突設し、支持体の前記支持体用突起の対応する箇所に位置決め孔を、ハウジングの前記ハウジング用突起の対応する箇所に位置決め孔をそれぞれ穿設し、ハウジングの位置決め孔の前端側を外向き斜面に形成した表示灯。
【発明の詳細な説明】
【０００１】
【発明の属する技術分野】
本発明は、例えば、「電源異常」などの表示をする表示灯に関するものである。
【０００２】
【従来の技術】
従来から、ハウジングと、ハウジング内に収容した発光体と、発光体により照射されるディスプレーを有し、ハウジング開口に設けるレンズ部とよりなる表示灯は存在している。
【０００３】
【発明が解決しようとする課題】
ハウジングと、ハウジング内に収容した発光体と、発光体により照射されるディスプレーを有し、ハウジング開口に設けるレンズ部とよりなる表示灯にも解決せねばならない課題がある。
【０００４】
従来の表示灯は、レンズ部にディスプレーを収容する際は、レンズ部を分解せねばならない。
【０００５】
また、集合体として使用する際、ハウジング後端面の端子はハウジング１個ごと端子カバーで覆われているが、複数のハウジングを１個の端子カバーで覆うものがなく作業効率が悪い。また、端子間を短絡するショートバーは端子カバーの間より露出したままで危険である。
【０００６】
さらに、プリント基板と抵抗と、端子はそれぞれ別個に保持されており、多数の部品を必要とするため、組立上作業効率が悪い。
【０００７】
さらにその上に、集合体として使用する際、ハウジングを集合せしめるにあたっては、連結用部品を不要とし、前後方向の外力に対して強くしなければならない。
【０００８】
また、発光体をハウジング内に収容する際、プリント基板面に直接手が触れることは望ましくない。また、レンズ部をハウジングから取り出す際は、他の部材も取り出すのでなく、レンズ部のみ取り出せるようにする必要がある。
【０００９】
【課題を解決するための手段】
そこで、本発明は、上記の事情に鑑み、ハウジングに発光体を収容する際、プリント基板面に直接手が触れることがないよう支持体とレンズ部を連結させて発光体を収容し、レンズ部をハウジングから取り出す際は他の部材も取り出すのでなく、レンズ部のみ取り出すようにすべく、レンズ部のレンズダイに弾性片を形成し、弾性片の外面の先端に支持体用突起を突設し、基端側にハウジング用突起を突設し、支持体の前記支持体用突起の対応する箇所に位置決め孔を、ハウジングの前記ハウジング用突起の対応する箇所に位置決め孔をそれぞれ穿設し、ハウジングの位置決め孔の前端側を外向き斜面に形成した表示灯とした。
【００１０】
【発明の実施の態様】
本発明を添付する図面に示す具体的実施例に基づいて以下詳細に説明する。
【００１１】
本発明は、ハウジングと、ハウジング内に収容した発光体と、発光体により照射されるディスプレイを有し、ハウジング開口に設けるレンズ部とよりなる。図１では便宜上４個のハウジングを集合させている。
【００１２】
ハウジングは、合成樹脂製で図１に示すように、所要個数集合させて一体化し、例えば「電源異常」のような種々な表示をさせるものである。
【００１３】
発光体としては、ランプや最近においては、ＬＥＤが多く使用される。さらに、レンズ部は図１のハウジング１の開口に設けられ（図１には図示してない）、記名（彫刻）あるいはフィルムに印字したものを用いる。
【００１４】
図２に本発明のレンズ部の分解斜視図、図３に組み立てた状態の縦断面図を示す。
【００１５】
レンズダイ２にカラーフィルター３およびディスプレイ４を収容し、この際、カラーフィルター３はレンズダイ２の内面の段部５に係合させ、レンズダイ２の開口をレンズ６で覆う。
【００１６】
図３のように組み立てた状態でレンズ６とレンズダイ２の間の上部のみに隙間７を設け、そこからディスプレイフィルム８が挿入できるようにする。
【００１７】
レンズ部９にディスプレイフィルム８を装着する際は、その隙間７からディスプレイフィルム８を挿入するだけで良い。
【００１８】
従来は、ディスプレイフィルムの挿入あるいはディスプレイに記名（彫刻）を行う際は、レンズをその都度外して、中からディスプレイを取り出したり、あるいはディスプレイフィルムを挿入して組み立てていたのに対し、本発明は、レンズ６とレンズダイ２の間に隙間を設けたので、単に挿入するだけで良い。また、この隙間７はハウジングに装着した際はハウジング１により覆われる。
【００１９】
次に、端子カバーについて図１、図４および図５により説明する。
【００２０】
従来は端子のカバーはハウジングごとに行われており、作業性が悪いのみならず、ハウジング間を短絡するショートバーは端子カバーの間より露出したままで危険であった。
【００２１】
そこで、本発明ではハウジング１は、後端面を図４に示すように従来より小形に形成してあり、その後端面に端子１１を配置し、ハウジング１の後端面より取付支柱１２を延出させ、取付支柱１２の先端は突起１３を膨出させる。なお、符号１５は端子１１間の隔壁である。
【００２２】
端子カバー１６は、前記両取付支柱１２間をまたぐ帯板状でその左右を前記突起１３に係合する係合片１４を形成する。
【００２３】
前記係合片１４を突起１３に係合させて集合体として使用する際には、複数のハウジング１を左右方向あるいは上下方向に端子カバー１６で端子１１を覆う。左右方向あるいは上下方向の何れの方向に端子カバー１６で覆うにしても端子カバー１６の係合片１４は突起１３に係合できる。
【００２４】
従来の端子カバーは一個のハウジングだけしかカバーできなかったが、本発明による端子カバー１６によると複数個のハウジング後端面を直ちに覆わせることができる。
【００２５】
また、ハウジング後端面は正方形で上下、左右同一寸法であり、取付支柱はハウジング後端面の四隅に立設してあるので、上下方向あるいは左右方向どちらの方向でも簡単に覆わせることができる。
【００２６】
さらに、従来の端子カバーは一個のハウジングの端子のみ覆っていたので、端子間を接続するショートバーを覆うことができなかったが、本発明によるとショートバーも覆わせることができより安全となる。
【００２７】
プリント基板と抵抗と端子との支持体について、図６および図７により説明する。
【００２８】
従来は、端子板、抵抗、端子はそれぞれ別個に保持されていて、多数の部品を必要とするため組立上作業効率が悪いものであった。
【００２９】
本発明では、一個の合成樹脂製支持体２６によりプリント基板２１、抵抗２２および端子２３を支持させたものである。
【００３０】
図６に示すように、支持体２６ではプリント基板２１を起立させて保持し、２個の抵抗２２を平行状に配置し、後端部に板状の端子２３を配置する。プリント基板２１に搭載されているＬＥＤは抵抗２２から生ずる熱に弱いので、その間に隔壁２４および隔壁２５を設けて積極的に熱を遮断させている。
【００３１】
また、板状の端子２３の支持体２６への装着を容易にするため、支持体２６に２本の弾性脚２７を突出させておき、端子２３の穴２８に挿入させて弾性脚２７先端の頭部２９を係合させる。抵抗２２はプリント基板２１および端子２３に接続する。端子２３への接続を容易にするため、端子板２３の起立面にはＵ字状の溝３０を刻設しておく。
【００３２】
上記のような支持体２６にプリント基板２１、抵抗２２および端子２３を装着すると、ハウジング１内に収容するとき効率的に収容できる。さらに、ＬＥＤを搭載するプリント基板２１と熱を発する抵抗２２との間には隔壁２４および隔壁２５を設けているので、ＬＥＤが熱の影響を受けにくい。
【００３３】
集合体として使用する際のハウジングの連結を、図１および図８により説明する。
【００３４】
相隣るハウジング１の左右の連結をハウジング１の側面に図８に示すような溝３１を上下方向に設ける。相隣るハウジング１の前記溝３１に対向する箇所に溝３１と嵌合する上下方向の摺動突起３２を突設して前記溝３１に摺動突起３２を嵌合させて連結する。
【００３５】
ハウジング１の上下の連結をハウジング１の側面に丸棒状の位置決め突起３３を突設し、相隣るハウジング１の前記位置決め突起３２に対向する箇所に四角状の受入れ孔３４を設け、前記位置決め突起３３を受入れ孔３４に嵌めて連結する。
【００３６】
本発明では、ハウジング１の連結を横嵌めにしているので、従来の縦嵌め方式で連結したものに比して前後方向の外力に対して強く、且つ、連結に他の部品は不要である。  また、ハウジング１の内部に設けた支持体２６のガイド（図示せず）は、ハウジング１の強度アップともなる。
【００３７】
なお、上記では「左右の連結」、「上下の連結」として述べたが、「左右の連結」を上下の連結に、「上下の連結」を左右の連結とすることができる。
【００３８】
レンズ部について、図２および図９により説明する。
【００３９】
ハウジングに発光体を収容する際、プリント基板面に直接手が触れることがないよう支持体とレンズ部を連結させて発光体を収容し、レンズ部をハウジングから取り出す際は、他の部材も取り出すのではなく、レンズ部のみ取り出せるようにした。
【００４０】
レンズ部９のレンズダイ２の周壁に所定間隔へだてて２本の切欠き４３を入れて弾性片４４を形成する。この弾性片４４の外面の先端に支持体用突起４５を突設し、弾性片４４の基端側にハウジング用突起４６を突設し、ハウジング用突起４６を支持体用突起４５より長く設定する。
【００４１】
支持体２６の前記支持体用突起４５の対応する箇所に位置決め孔４７を穿設し、ハウジング１の前記ハウジング用突起４６の対応する箇所に位置決め孔４８を穿設する。
【００４２】
また、ハウジング１の位置決め孔４７の前端側を外向き斜面４９に形成する。
【００４３】
前記支持体２６をハウジング１内に挿入する際は、レンズ部９により支持体２６を押圧させる。すると、レンズダイ２の支持体突起４５は支持体２６の位置決め孔４７と嵌合し、レンズ部と支持体が連結する。連結させたまま、ハウジング１内へ挿入し、ハウジング用突起４６はハウジング１の位置決め孔４８に嵌合し、固定する。
【００４４】
レンズ部９をハウジング１から取り出す際は、吸盤（図示せず）でレンズ部９を引き出すと、まずハウジング用突起４６が位置決め孔４８の前端側に当たり、弾性片４４は内側に撓んで支持体用突起４５は位置決め孔４７から外れ、吸盤で引き出すとハウジング用突起４６は外向き斜面４９があるため干渉することなく前方に引き出せる。
【００４５】
【発明の効果】
本発明は、上述のように、ハウジングと、ハウジング内に収容した発光体と、発光体により照射されるディスプレーを有し、ハウジング開口に設けるレンズ部とよりなる表示灯であって、レンズ部のレンズダイに弾性片を形成し、弾性片の外面の先端に支持体用突起を突設し、基端側にハウジング用突起を突設し、支持体の前記支持体用突起の対応する箇所に位置決め孔を、ハウジングの前記ハウジング用突起の対応する箇所に位置決め孔をそれぞれ穿設し、ハウジングの位置決め孔の前端側を外向き斜面に形成した表示灯であるので、ハウジングに発光体を収容する際、プリント基板面に直接手が触れることがないよう支持体とレンズ部を連結させて発光体を収容し、レンズ部をハウジングから取り出す際は、他の部材も取り出すことなく、レンズ部のみ取り出すことができる。
【図面の簡単な説明】
【図１】本発明に係る表示灯の具体的一実施例の全体の概要を示す斜視図である。
【図２】レンズ部の具体的一実施例の分解斜視図である。
【図３】レンズ部の組立て縦断面図である。
【図４】ハウジング後端面の端子と端子カバーを示す背面図である。
【図５】取付支柱に端子カバーを取付けた状態の斜視図である。
【図６】支持体にプリント基板、抵抗、端子を装着した状態の斜視図である。
【図７】端子を弾性脚に装着した状態の縦断面図である。
【図８】ハウジングどうしを連結するための溝と摺動突起を示す平面図である。
【図９】レンズ部と支持体とをハウジングに装着した状態の縦断面図である。
【符号の説明】
１…ハウジング
２…レンズダイ
３…カラーフィルター
４…ディスプレー
５…段部
６…レンズ
７…隙間
８…ディスプレーフィルム
９…レンズ部
１１…端子
１２…取付支柱
１３…外向き突起
１４…係合片
１５…隔壁
１６…端子カバー
２１…プリント基板
２２…抵抗
２３…端子
２４…隔壁
２５…隔壁
２６…支持体
２７…弾性脚
２８…穴
２９…頭部
３０…Ｕ溝
３１…溝
３２…摺動突起
４３…切欠き
４４…弾性片
４５…支持体用突起
４６…ハウジング用突起
４７…位置決め孔
４８…位置決め孔
４９…外向き斜面
【図１】
0003736799.tif 000002
【図２】
0003736799.tif 000003
【図３】
0003736799.tif 000004
【図４】
0003736799.tif 000005
【図５】
0003736799.tif 000006
【図６】
0003736799.tif 000007
【図７】
0003736799.tif 000008
【図８】
0003736799.tif 000009
【図９】
0003736799.tif 000010